(57)【要約】【課題】  利用者のニーズに適応した商品の陳列装置を提供するにおいて、陳列用の棚段設定が自由にできる装置を提供する。【解決手段】  多数段の掛止溝２・・を設けた棚板材１と，その左右両側部に設けた支柱材３，３と，最上棚板材の上面部に被嵌する蓋材５と，最下棚板材の左右両支柱材の基端部から前側方に突設する台柱材６，６間に連結する基台材７とから成るウォール・ベースユニット部、正面略コ形に成る左右両側板１３，１３とその後側板１４，１４から成る枠体１２のそれぞれの後側板の上端に上掛止部１５，１５を下端に下掛止部１６，１６を設け，枠体を両後側板の上下両掛止部を介して棚板材に取付け，前記左右両側板のガイドレール１７，１７上の凹孔１８，１８と枠体のガイドレール上に配置するフリートレーの底面部上の凸起とを係合し，前記フリートレーの内部に個別トレーを収容して成る商品収容陳列部、とから成る装置である。【選択図】  図４
2008029572.tif 000002
【特許請求の範囲】
【請求項１】
等間隔に多数段の掛止溝を設けた棚板材と，その左右両側部に設けた支柱材と，最上棚板材の上面部に被嵌する蓋材と，最下棚板材の左右両支柱材の基端部から前側方に突設する台柱材間に連結する基台材とから成るウォール・ベースユニット部と、
正面略コ形に成る左右両側板とその後側板から成る枠体の後側板の上端部に上掛止部を下端に下掛止部を設け，このように成る枠体の両後側板の上下両掛止部を介して前記ウォール・ベースユニット部の棚板材の掛止溝に取付けるようにし，前記左右両側板の下辺ガイドレールの中間部適所に凹孔を設けるとともにこの両側板間に補強杆を架設し，このように成る枠体の左右両側板のガイドレール上に配置するフリートレーの底面部の左右両端部適所に凸起を設け，この凸起は前記両ガイドレールの凹孔に係合するようにし，このように成るフリートレーの内部に個別トレーを収容し，前記個別トレーの長手方向の底面部中央に設けた孔レールの前端部に発条帯の一端を止着し他端を孔レール上を摺動するスライダーの当て板の後側部に設けた軸部に止着して成る商品収容陳列部と、
から成ることを特徴とする商品陳列装置。
【請求項２】
等間隔に多数段の掛止溝を設けた棚板材をその左右両側部に設けた支柱材を介して複数個連結し，最上棚板材の上面部に蓋材を被嵌し，最下棚板材の左右両支柱材の基端部から前側方に突設する台柱材間に基台材を連結して成るウォール・ベースユニット部と、
篭トレーの背面部の左右両端部に上端に上掛部を下端に下掛止部を設けて成る後側板を設け、このように成る篭トレーを上下両掛部を前記ウォール・ベースユニット部の棚板材の掛止溝に取付けるようにする商品収容陳列部と、
から成ることを特徴とする商品陳列装置。
【発明の詳細な説明】
【技術分野】
【０００１】
本発明は、煙草などの商品陳列装置に関するものである。
【背景技術】
【０００２】
従来、煙草などの商品をコンビニなどの店舗において陳列販売する際には、立体的なショーケースのトレー上に多種類のものを並列載置しておくことが普通であるところ、同じ目的を有するものとしては特許文献１乃至５のような技術文献が見られる。
【０００３】
【特許文献１】特開昭５９−２１８１１３号公報
【特許文献２】特開昭２００５−２３７５６６号公報
【特許文献３】実開平１−８６８５６号公報
【特許文献４】登録実用新案第３１１５２８９号公報
【特許文献５】登録実用新案第３１１８７００号公報
【特許文献６】特開平１１−３４６８７９号公報
【特許文献７】特開２００３−１２５９０６号公報
【発明の開示】
【発明が解決しようとする課題】
【０００４】
しかしながら、フレームユニット部、トレー部、作業台部の全部が一体となって総合的に構成された陳列装置に関する技術文献は見られず、各部が相関関係をもって合理的に構成されているものが存しないことに鑑み、本発明者は、利用者のニーズに適応した商品の陳列装置を提供することを目的とした発明をすでに特願２００６−１４０６５７号として出願しているところ、これをさらに改良し陳列用の棚段設定が自由な装置を提供することを目的とする。
【０００５】
棚段設定を可能にした技術文献としては特許文献６，７のようなものが見られるが、本発明の目的としているところとは異なるものである。
【課題を解決するための手段】
【０００６】
本発明は、等間隔に多数段の掛止溝を設けた棚板材と，その左右両側部に設けた支柱材と，最上棚板材の上面部に被嵌する蓋材と，最下棚板材の左右両支柱材の基端部から前側方に突設する台柱材間に連結する基台材とから成るウォール・ベースユニット部と、正面略コ形に成る左右両側板とその後側板から成る枠体のそれぞれの後側板の上端に上掛止部を下端に下掛止部を設け，このように成る前記枠体を両後側板の上下両掛止部を介して前記ウォール・ベースユニット部の棚板材の掛止溝に取付けるようにし，前記左右両側板の下辺ガイドレールの中間部適所に凹孔を設けるとともにこの両側板間に補強杆を架設し，このように成る枠体の左右両側板のガイドレール上に配置するフリートレーの底面部の左右両端部適所に凸起を設け，この凸起は前記両ガイドレールの凹孔に係合するようにし，このように成るフリートレーの内部に個別トレーを収容して成る商品収容陳列部と、から成る装置である。
【発明の効果】
【０００７】
本発明によるウォール・ベースユニット部を構成することによって、多数個の個別トレーを収容するフリートレーの取付け準備が極めて迅速かつ容易となる。
【０００８】
ウォール・ベースユニット部の高さは、所定高さに成る棚板材を任意数連結することによって、店舗の要請等に応じて自由に加減することができる。
【発明を実施するための最良の形態】
【０００９】
ウォール・ベースユニット部の全体を組立てるには、まず垂直方向には多数段の掛止溝を設けて成る棚板材を背面パネルとして必要数連結するとともにその左右両側部に支柱材を連結し、水平方向には前記支柱材の基端部から水平に突設する台柱材を設置しかつこの両台柱材間に基台体を連結する。また、最上棚板材の両支柱材の上端部間には蓋材を被嵌し、これによってウォール・ベースユニット部の全体が組立てられることになる。
【００１０】
次に、前記ウォール・ベースユニット部の背面パネルとなる棚板材の前面部に、左右両側板と両後側板を設けた枠体を後側板の上掛止部と下掛止部を前記棚板材の掛止溝にそれぞれ取付ける。しかる後に、前記枠体の左右両側板の下辺部のガイドレール上にフリートレーを挿入し、ガイドレール側の凹孔にフリートレー側の突起を係合して固定する。
【００１１】
そこで、フリートレー内に個別トレーを挿入並置した後、この個別トレー内には煙草箱その他必要な商品を収容しかつスライダーの当て板を商品の背面に当てて常に背面より押圧するようにする。
【実施例】
【００１２】
本発明に係る陳列装置は、(Ａ)ウォール・ベースユニット部と(Ｂ)商品収容陳列部とから構成される。
【００１３】
Ａ．ウォール・ベースユニット部
垂直方向に等間隔をおいて多数段の掛止溝２・・を設けた棚板材１と、これをその左右両側部に設けた支柱材３，３に連結して構成する。（図１参照）
【００１４】
前記棚板材１の高さは例えば１５０ｍｍとし、これを例えば５枚合わせて左右支柱材３，３間に一体に構成したものを基本体４とし、この基本体の最上棚板材１の上面部には蓋材５を被嵌する。（図２参照）
【００１５】
６，６は前記左右の支柱材３，３の基端部から水平方向に一体に突設する台柱材で、この台柱材間には基台体７を連結する。
【００１６】
８は前記基本体４となる最上棚板材１の上方部に連結する副棚板材で、左右両側に副支柱材９，９を有するこの副棚板材は店舗の状況に応じて基本体４の最上棚板材１の上方部に必要数連結すればよい。
【００１７】
各副棚板材８の左右副支柱材９，９の上下基端部には、連結用の凸部１０，１０と凹部１１，１１を設ける。（図３参照）
【００１８】
Ｂ．商品収容陳列部
商品収容陳列部は、前記ウォール・ベースユニット部の棚板材１の前面部の上下段に適当間隔をおいて掛止め固定する枠体１２と、この枠体上に設置する後記フリートレー２０などから成る。(図４参照)
【００１９】
前記枠体１２は、正面略コ形に成る左右両側板１３，１３とその後側板１４，１４から成り、この後側板の上端には上掛止部１５，１５を、下端には下掛止部１６，１６を設ける。(図５参照)
【００２０】
１７，１７は前記枠体１２の両側板１３，１３の下辺部のガイドレールで、このガイドレールの中間適所に凹孔１８，１８を設ける。(図１０参照)
【００２１】
１９，１９は前記左右両側板１３，１３間に架設した補強杆である。
【００２２】
２０は前記枠体１２の左右両側板１３，１３のガイドレール１７，１７上に配置するフリートレーで、このフリートレーの底面部の左右両端部適所に凸起２１，２１を設け、フリートレーを前記枠体１２上に固定する際には凸起を凹孔１８，１８に係合する。(図６・図１０参照)
【００２３】
前記フリートレー２０の前側面部には、低位のポケット壁部２０'を設けるとともにその上方部は開口状態に成るが、左右両側面部及び後側面部には同一高さの壁部２０''，２０''，２０''を形成する。
【００２４】
２２・・は前記フリートレー２０の内部に収容する狭巾の個別トレーで、この個別トレーの横巾と数によってフリートレーの横巾は異なる。(図７〜図９参照)
【００２５】
また、個別トレー２２・・は、長手方向の一側部及び前後両側部には必要高さの側壁２３を設け、他側部には若干高さのガイド壁２４を設けかつその上方は空間部２５と成り、このような構成によって個別トレー上に陳列する商品の取り出しや補充をし易くするようにする。
【００２６】
また、個別トレー２２の短手方向の前後両側端部にはカードポケット２６，２６を設け、任意の文字，数字などを記入した表示板を挿入する。このポケットの底面部には、ほこり出し孔２７，２７を設ける。
【００２７】
前記個別トレー２２の長手方向の底面部中央には、巾狭に成る孔レール２８を形成する。
【００２８】
前記孔レール２８の一方のカードポケット２６側の内前端部の左右両側部には山形状に成る載せ台部２９，２９を形成し、煙草箱等の最先商品の背面部を押圧する後続商品に対して一段高い位置にあるようにし、最先商品を取り出し易くしている。
【００２９】
また、前記両載せ台２９，２９をはさむ孔レール２８の前端部には発条帯３０の一端部を止着し、この発条帯の他端部は、前記孔レール２１上を前後に摺動するスライダー３１の当て板３２の左右両後側壁３３，３３間に設けた軸部３４に止着する。
【００３０】
前記スライダー３１の両後側壁３３，３３の底面部は一体に成り、この底面部の左右両端部には前記孔レール２８の左右両側縁部に係合して摺動する凹溝３５を形成し、これを介してスライダー３１は孔レール２８上を前後に摺動するようになる。
【００３１】
３６はウォール・ベースユニット部を複数個並設した状態に構成したものを示し、これは２つのウォール・ベースユニット部の背面部において任意手段を介して連結する。この連結並設した状態にあっても、各ウォール・ベースユニット部の前面部の構成態様は前記のとおりである。（図１１参照）
【００３２】
３７は簡略構造に成るウォール・ベースユニット部を示し、廉価版の一例である。（図１２参照）
【００３３】
３８は前記商品収容陳列部において使用するフリートレー２０に代えて取付ける篭トレーで、この篭トレーの後側部の左右両端部に設けた後側板１４，１４の上端には上掛止部１５，１５を、下端に下掛止部１６，１６を設けている。（図１３参照）
【図面の簡単な説明】
【００３４】
【図１】全体の組立て前の斜視図
【図２】全体の組立て後の斜視図
【図３】一部材の斜視図
【図４】全体の分離関係を示す斜視図
【図５】(ａ)，(ｂ)は要部の取付け関係を示す側断面図
【図６】一部材の斜視図
【図７】他部材の斜視図
【図８】図７部材の側断面図
【図９】図７部材要部の斜視図
【図１０】(ａ)，(ｂ)は図６部材の作用状態を含む側断面図
【図１１】一使用例の背斜視図
【図１２】他実施例の斜視図
【図１３】他の取付部材の斜視図
【符号の説明】
【００３５】
１                    棚板材
２・・                掛止溝
３，３                支柱材
４                    基本体
５                    蓋材
６，６                台柱材
７                    基台体
８                    副棚板材
９，９                副支柱材
１０，１０            連結用凸部
１１，１１            連結用凹部
１２                  枠体
１３，１３            左右両側板
１４，１４            後側板
１５，１５            上掛止部
１６，１６            下掛止部
１７，１７            ガイドレール
１８，１８            凹孔
１９，１９            補強杆
２０                  フリートレー
２０'                ポケット壁部
２０''，２０''，２０''壁部
２１，２１            凸起
２２・・              個別トレー
２３                  側壁
２４                  ガイド壁
２５                  空間部
２６，２６            カードポケット
２７，２７            ほこり出し孔
２８                  孔レール
２９，２９            載せ台部
３０                  発条帯
３１                  スライダー
３２                  当て板
３３，３３            両後側壁
３４                  軸部
３５                  凹溝
３６                   ウォール・ベースユニット部の複数並設状態
３７                  簡略構造に成るウォール・ベースユニット部材
【図１】
2008029572.tif 000003
【図２】
2008029572.tif 000004
【図３】
2008029572.tif 000005
【図４】
2008029572.tif 000006
【図５】
2008029572.tif 000007
【図６】
2008029572.tif 000008
【図７】
2008029572.tif 000009
【図８】
2008029572.tif 000010
【図９】
2008029572.tif 000011
【図１０】
2008029572.tif 000012
【図１１】
2008029572.tif 000013
【図１２】
2008029572.tif 000014
【図１３】
2008029572.tif 000015